(57)【特許請求の範囲】
【請求項１】
使用位置と収納位置とに移動可能である天板本体と、
前記天板本体に接続され、支持軸を中心に前記天板本体の移動に従って揺動可能であるカムと、
前記支持軸に接続され、前記天板本体が前記使用位置にある時に前記天板本体を支持する第１脚と、
前記第１脚に対して移動可能であり、前記天板本体が前記収納位置にある時に支持面を介して前記天板本体を支持する第２脚とを備え、
前記天板本体が前記使用位置にある時には、前記支持面は前記カムの対向部と対向し、前記天板本体が前記収納位置にある時には、前記支持面は前記カムの当接部と当接し、
前記支持軸から前記当接部までの距離は、前記支持軸から前記対向部までの距離よりも長いことを特徴とする跳上げ式机。
【請求項２】
前記第２脚が、前記第１脚の内側に収容されていることを特徴とする請求項１に記載の跳上げ式机。
【請求項３】
前記天板本体が前記使用位置から前記収納位置に移動すると、前記カムは前記支持面に乗り上げるように揺動し、
前記カムが前記支持面に乗り上がることに従って、前記支持軸は前記跳上げ式机の接地面から離れる方向に移動し、
前記支持軸の移動に従って、前記第１脚は前記接地面から離れる方向に移動することを特徴とする請求項１又は２に記載の跳上げ式机。
【請求項４】
前記支持面は傾斜しており、
前記天板本体が前記使用位置から前記収納位置に移動するにつれて、前記当接部は前記支持面上を接地面から離れる方向に向かって移動することを特徴とする請求項１ないし３のいずれか１項に記載の跳上げ式机。
【請求項５】
前記天板本体は、前記支持軸を中心に前記使用位置と前記収納位置とに回動可能であると共に、前記使用位置においては前記支持軸を介して前記第１脚に支持されていることを特徴とする請求項１ないし４のいずれか１項に記載の跳上げ式机。
【請求項６】
前記第１脚の先端に、前記第２脚の移動を制限するガイドキャップが取り付けられており、
前記当接部は、前記ガイドキャップにより遮蔽されていることを特徴とする請求項１ないし５のいずれか１項に記載の跳上げ式机。
【請求項７】
前記第１脚と前記第２脚との間に、前記第１脚と前記第２脚との接触を防止するガイドが取り付けられていることを特徴とする請求項１ないし６のいずれか１項に記載の跳上げ式机。
【請求項８】
前記第２脚にキャスターが取り付けられていることを特徴とする請求項１ないし７のいずれか１項に記載の跳上げ式机。
【請求項９】
天板本体を支持する支持面を有する脚を備える跳上げ式机に用いられる天板であって、
使用位置と収納位置とに移動可能な前記天板本体と、
前記天板本体に接続され、支持軸を中心に前記天板本体の移動に従って揺動可能であるカムとを備え、
前記カムは対向部と当接部とを有し、前記対向部は前記天板が前記使用位置にある時に前記脚の前記支持面と対向するためのものであり、前記当接部は前記天板が前記収納位置にある時に前記支持面と当接するためのものであり、
前記支持軸から前記当接部までの距離は、前記支持軸から前記対向部までの距離よりも長いことを特徴とする跳上げ式机用の天板。
【請求項１０】
使用位置と収納位置とに移動可能な天板本体を備える跳上げ式机に用いられる脚であって、
第１脚と、前記第１脚に対して移動可能である第２脚とを備え、
前記第１脚は、前記天板本体が前記使用位置にある時に前記天板本体を支持するためのものであり、
前記第２脚は、前記天板本体が前記収納位置にある時に支持面を介して前記天板本体を支持するためのものであり、
前記支持面は傾斜していることを特徴とする跳上げ式机用の脚。
【請求項１１】
天板本体と前記天板本体を支持する第１脚及び第２脚とを備える跳上げ式机に用いられる天板を、使用位置から収納位置へと収納する天板の収納方法であって、
前記使用位置にあると共に前記第１脚に支持された前記天板本体が、支持軸を中心に回動し、
前記天板本体に接続されたカムが、前記支持軸を中心に前記天板本体の回動に従って揺動することにより、前記カムの当接部が前記第２脚の支持面と当接し、
前記当接部と前記支持面とが当接している状態で前記天板本体が回動することにより、前記カムが前記支持面に乗り上げ、
前記カムが前記支持面に乗り上がることに従って、前記支持軸が前記跳上げ式机の接地面から離れる方向に移動し、
前記支持軸の移動に従って、前記第１脚が前記接地面から離れる方向に移動することを特徴とする天板の収納方法。
【発明の詳細な説明】
【技術分野】
【０００１】
本発明は、天板を使用位置から収納位置へと収納することが可能な跳上げ式机、当該跳上げ式机用の天板、当該跳上げ式机用の脚、及び天板の収納方法に関する。
【背景技術】
【０００２】
従来、倉庫等に格納するために、天板を使用位置から収納位置へと収納させることができる跳上げ式机が知られていた。また、この跳上げ式机として、キャスターが脚部の下端から下方に突出されて床面に接地され、床面上を移動可能となる移動机があった（特許文献１）。この移動机は、揺動可能な微調整ロックレバー、微調整ロックレバーが揺動されるのに伴いフロート連動パイプを回転させるリンク部材、及びフロート連動パイプの回転に伴いキャスターを突出させる昇降機構等を備えている。そして、この昇降機構により、天板が使用位置にある状態ではキャスターが床面から離間され、天板が収納位置にある状態ではキャスターが床面に接地される。
【先行技術文献】
【特許文献】
【０００３】
【特許文献１】特開２００８−１０４７９３号公報（要約、図１及び図７）
【発明の概要】
【発明が解決しようとする課題】
【０００４】
しかし、この移動机では、昇降機構にロッド、テコ及びフロート等の複数の部材を必要としていた。また、これらのロッド等を、それぞれ動作可能に連結する必要があった。そのため、部品点数が多く且つ組み立てが複雑であり、製造コストが高くなると共に、製造時間も長くなってしまっていた。
【課題を解決するための手段】
【０００５】
本発明の跳上げ式机は、上記課題を解決するために、使用位置と収納位置とに移動可能である天板本体と、前記天板本体に接続され、支持軸を中心に前記天板本体の移動に従って揺動可能であるカムと、前記支持軸に接続され、前記天板本体が前記使用位置にある時に前記天板本体を支持する第１脚と、前記第１脚に対して移動可能であり、前記天板本体が前記収納位置にある時に支持面を介して前記天板本体を支持する第２脚とを備え、前記天板本体が前記使用位置にある時には、前記支持面は前記カムの対向部と対向し、前記天板本体が前記収納位置にある時には、前記支持面は前記カムの当接部と当接し、前記支持軸から前記当接部までの距離は、前記支持軸から前記対向部までの距離よりも長いことを特徴とする。
【発明の効果】
【０００６】
本発明の跳上げ式机によれば、天板本体を使用位置から収納位置へと移動させることにより、第１脚による支持から第２脚による支持へと容易に切り替えることができる。そして、この切り替えを、天板本体に接続されたカムと第２脚の支持面とによって達成している。そのため、従来と比べて、跳上げ式机の部品点数を削減することができる。また、部品点数が少ないため、容易に跳上げ式机を組み立てることができる。これにより、製造コストが安くなると共に、製造時間も短くすることができる。
【図面の簡単な説明】
【０００７】
【図１】跳上げ式机の上面及び背面を示す図である。
【図２】使用時及び収納時の跳上げ式机の側面図である。
【図３】天板の概略側面図である。
【図４】ロックレバー、ロックプレート及びロックスプリングを示す図である。
【図５】脚の概略側面図である。
【図６】使用時の跳上げ式机の一部の拡大断面図である。
【図７】第１脚を説明する図である。
【図８】ガイドキャップを説明する図である。
【図９】第２脚を説明する図である。
【図１０】跳上げ式机の動作を説明する図である。
【実施例】
【０００８】
以下、図面に基づき本発明の実施例を説明する。図１Ａは、本発明の跳上げ式机の上面図である。また、図１Ｂは背面図であり、使用者側から跳上げ式机を見た状態を示している。なお、図１Ａ及び図１Ｂは、天板１が使用位置にある状態を示している。
【０００９】
跳上げ式机は、天板１と、天板１を支持するための一対の脚２とを備えている。この天板１は、一対の脚２に対して移動可能に支持されている。そして、天板１は、使用時に接地面３に対して略水平に支持されている天板本体１１を備えている。なお、収容時には、天板本体１１は接地面３から跳上げ式机に向かって延ばした垂線に対して数度傾いた状態で支持される。
【００１０】
一対の脚２は、天板本体１１が使用位置にある時に天板１を支持する第１脚として、脚フレーム２１を備えている。また、一対の脚フレーム２１同士は、貫材２２により連結されている。なお、図１には図示されていないが、脚フレーム２１の内側には、天板本体１１が収納位置にある時に天板１を支持する第２脚として、インナー脚２３が収容されている（図５）。
【００１１】
この天板本体１１には幕板１２が取り付けられている。さらに、天板本体１１には天板フレーム１３が取り付けられており、この天板フレーム１３は、一対の天板アーム１７（図２）に溶接されている。つまり、一対の天板アーム１７は、天板フレーム１３により連結されている。そして、一対の天板アーム１７のそれぞれには、天板１をロックするため又は天板１のロックを解除するためのロックレバー１４が揺動可能に取り付けられている。この一対のロックレバー１４は、レバー軸１５により連結されている。そのため、一方のロックレバー１４をレバー軸１５を中心に揺動させると、他方のロックレバー１４も連動してレバー軸１５を中心に揺動する。
【００１２】
図２は、跳上げ式机の側面図である。図２Ａは、天板本体１１が使用位置にある状態、すなわち使用時の跳上げ式机を示している。また、図２Ｂは、天板本体１１が収納位置にある状態、すなわち収納時の跳上げ式机を示している。なお、本発明の跳上げ式机は左右対称であるので、一方の側面のみを示し他方の側面は図示を省略している。
【００１３】
天板本体１１には、天板１と脚２とを接続する接続部として天板アーム１７が螺止されている。そして、天板アーム１７には、ロックレバー１４が取り付けられている。このロックレバー１４を天板１に向かって矢印５０で示す方向に揺動させると、ロックが解除される。使用位置において天板本体１１は、接地面３に対して略水平に支持される。そして、天板１のロックを解除することにより、天板１を図２Ｂに示す収納位置まで回動させることができる。また、幕板１２は、リンク１８を介して脚フレーム２１に連結されていると共に、不図示のリンクを介して天板１に連結されている。そのため、天板１を使用位置と収納位置との間で回動させると、幕板１２も天板１の回動に伴い移動する。
【００１４】
使用時の天板１は、脚フレーム２１により支持されている。そのため、脚フレーム２１のベースフレーム２１３に取り付けられたベースキャップ２４と、ベースフレーム２１３に螺止されたアジャスター２５とが接地面３に接地している。そして、天板１を収納位置に移動させると、天板１は脚フレーム２１に収容されたインナー脚２３を支えとして接地面３から離れる方向に移動する。この時、脚フレーム２１も天板１に従って移動するので、ベースキャップ２４とアジャスター２５も接地面３から離れる方向に移動する。これにより、収納時の天板１は、インナー脚２３により支持される。そのため、インナー脚２３に取り付けられた一対のキャスター２６のみが接地面３に接地している。
【００１５】
脚フレーム２１の先端にはガイドキャップ２７が嵌め込まれている。このガイドキャップ２７により、天板アーム１７のカム部等が外部から遮蔽されている。そのため、天板アーム１７と脚フレーム２１の隙間等に使用者が誤って指等を挟むことを防止できる。また、ガイドキャップ２７には、物を掛けるためのフック２８が形成されている。なお、物を掛ける必要がなければ、このフック２８を形成しなくとも良い。
【００１６】
図３は、跳上げ式机の天板１を示している。図３Ａは天板１の概略側面図であり、図３Ｂは図３ＡのＡ−Ａ断面を拡大して示している。なお、図３Ａでは幕板１２及びロックスプリングの図示が省略されている。また、天板１は左右対称の構成を備えるため、図３Ａにおいては天板１の一方の側面のみを示している。
【００１７】
図３Ａにおいて天板１の天板本体１１の下面、すなわち脚２側の面には、鋼板から形成された天板アーム１７が螺止されている。この天板アーム１７は、天板本体１１を支持する支持部１７１と、跳上げ式机のカムであるカム部１７２と、支持部１７１及びカム部１７２の間の中央部１７３とからなる断面コ字形状を有している。そして、天板アーム１７は、中央部１７３に形成されたねじ穴に挿入されたねじにより天板本体１１に螺止されている。また、支持部１７１には、天板フレーム１３が溶接されている。
【００１８】
さらに、天板アーム１７には、ロックレバー１４が取り付けられている。ロックレバー１４はレバー軸１５を中心に揺動可能であり、ロックレバー１４の内側にはロックプレート１４１が取り付けられている。そして、ロックプレート１４１は、天板１が使用位置で支持されている際に、脚フレーム２１の貫材フレーム２１９の第１係止溝４１（図５Ａ）に当接する。また、天板アーム１７の支持部１７１とカム部１７２とは、ストッパー１７４により連結されている。このストッパー１７４は、天板１が使用位置で支持されている際に、貫材フレーム２１９の第２係止溝４２（図５Ａ）に当接する。さらに、支持部１７１及びカム部１７２には、天板１を支持する支持軸が挿入される穴１７７が形成されている。
【００１９】
また、カム部１７２には、天板本体１１が収納位置にある時に脚２の支持面に当接する当接部１７５が形成されている。さらに、カム部１７２には、天板本体１１が使用位置にある時に脚２の支持面と対向する対向部１７６が形成されている。そして、支持軸の穴１７７から当接部１７５までの距離は、支持軸の穴１７７から対向部１７６までの距離よりも長い。そのため、天板本体１１の回動によって、当接部１７５が脚２の支持面に当接して乗り上げると、支持軸が接地面から離れる方向に移動する。これにより、カム部１７２を有する天板アーム１７も接地面から離れる方向に移動する。なお、天板１を脚２に取り付けた状態では、支持軸１９から当接部１７５までの距離が、支持軸１９から対向部１７６までの距離よりも長くなる（図１０）。
【００２０】
図３ＡのＡ−Ａ断面である図３Ｂに示されるように、ロックレバー１４には、ロックプレート１４１が取り付けられている。そして、ロックプレート１４１は、ロックレバー１４の揺動に従って揺動する。また、ロックレバー１４のスプリング受け部１４３には、ロックスプリング１４４が嵌っている。このロックスプリング１４４の一端は天板アーム１７の中央部１７３に当接し、他端はロックレバー１４のストッパー１４８（図４）に当接する。これにより、ロックスプリング１４４は、ロックレバー１４を天板本体１１から離れる方向に付勢している。そのため、ロックを解除する場合は、使用者がロックスプリング１４４の付勢力に抗してロックレバー１４を揺動させることになる。
【００２１】
さらに、ロックレバー１４及びロックプレート１４１には、レバー軸１５が挿入されている。そして、レバー軸１５は、天板アーム１７のカム部１７２及び支持部１７１の穴１４２にも挿入されている。そのため、ロックレバー１４は、レバー軸１５を中心に揺動させることができる。なお、レバー軸１５は、外側留め具１４５によりカム部１７２に取り付けられ、内側留め具１４６により支持部１７１に取り付けられている。
【００２２】
図４は、ロックレバー１４、ロックプレート１４１及びロックスプリング１４４を分解して示している。ロックレバー１４の内部には、ロックプレート１４１を収容する溝１４７が形成されている。そして、この溝１４７にロックプレート１４１が嵌め込まれる。また、ロックレバー１４には、スプリング受け部１４３が形成されている。そして、このスプリング受け部１４３に、ロックスプリング１４４が嵌め込まれる。スプリング受け部１４３に嵌め込まれたロックスプリング１４４の一端は、ロックレバー１４のストッパー１４８に当接する。
【００２３】
ロックプレート１４１及びスプリング受け部１４３の内側には、レバー軸１５が挿入される穴１４９が形成されている。なお、本実施例のレバー軸１５は断面矩形であるため、穴１４９はいずれも矩形の外形を有する。また、ロックプレート１４１には、脚フレーム２１の貫材フレーム２１９の係止溝と当接する係止突起４０が形成されている。
【００２４】
図５Ａは、天板１が使用位置にある状態の脚２を示す概略側面図である。また、図５Ｂは、図５ＡのＢ−Ｂ断面を拡大して示している。なお、一対の脚２はいずれも対称の構成を備えるため、図５においては片方の脚２のみを示し、他方の脚２の説明は省略している。また、本実施例の脚２はフック２８（図２）を有しているが、説明を簡略化するためにフック２８の図示は省略している。
【００２５】
脚２の脚フレーム２１は、ベースフレーム２１３とフレーム本体２１２とを有している。このフレーム本体２１２は、ベースフレーム２１３に対して傾いた状態で溶接されている。また、脚フレーム２１には、天板１と脚２とを接続するための支持部材として、鋼板から形成された貫材フレーム２１９が螺止されている。この貫材フレーム２１９には第１係止溝４１及び第２係止溝４２が形成されている。そして、第１係止溝４１及び第２係止溝４２には、ロックレバー１４に接続されたロックプレート１４１の係止突起４０（図４）が係止される。すなわち、この貫材フレーム２１９の第１係止溝４１及び第２係止溝４２と、ロックプレート１４１の係止突起４０とにより、跳上げ式机のロック機構が構成されている。
【００２６】
また、貫材フレーム２１９には貫材２２が溶接されており、この貫材２２を介して他方の脚の貫材フレーム２１９と連結されている。さらに、貫材フレーム２１９には、天板１を支持する支持軸１９（図６）の一端が挿入される穴２１４が形成されている。また、支持軸１９の他端は天板アーム１７の穴１７７（図３）に挿入される。これにより、天板１が脚２に接続され且つ支持される。このように天板１が脚２に接続された状態について、図６を用いて説明する。
【００２７】
図６は、使用時の跳上げ式机の天板１及び脚２の接続部分を示しており、図２のＣ−Ｃ断面を拡大して示している。図６において、脚フレーム２１のフレーム本体２１２には、貫材２２が溶接された貫材フレーム２１９が接続されている。また、支持軸１９が、天板アーム１７の支持部１７１及びカム部１７２の穴１７７に挿入されている。これにより、支持部１７１及びカム部１７２は、支持軸１９を介して貫材フレーム２１９に接続されている。つまり、天板１は、支持部１７１及びカム部１７２を介してフレーム本体２１２を有する脚２に対して接続されている。
【００２８】
このように、天板１は、支持軸１９のみにより脚２に接続され且つ支持されている。そのため、部品点数を少なくすることができ、容易に跳上げ式机を組み立てることができる。さらに、支持軸１９を取り外すのみで、天板１と脚２とを容易に分離することができる。これにより、跳上げ式机の収納スペースを小さくすることができると共に、容易に跳上げ式机を運搬することができる。なお、使用時においては、カム部１７２の対向部１７６と脚フレーム２１内に収容されたインナー脚２３のインナーエンド２３１との間にすきまが存在する。つまり、インナー脚２３は、天板１を支持していない。
【００２９】
なお、図６においては、フレーム本体２１２とインナー脚２３との間に内側プレート２１５が配置されている。そして、貫材フレーム２１９は、内側プレート２１５と共に脚フレーム２１に対して螺止されている。しかし、貫材フレーム２１９を脚フレーム２１と一体に形成することも可能である。この場合は、脚フレーム２１に貫材２２が溶接されると共に、脚フレーム２１のフレーム本体２１２の一部が天板１方向に延在する。そして、ロックプレート１４１の係止突起４０（図４）は、この延在した部分に係止される。
【００３０】
図５に戻り、脚フレーム２１内にはキャスター２６が取り付けられたインナー脚２３が収容されている。そして、脚フレーム２１の先端には、インナー脚２３の移動を制限するガイドキャップ２７が差し込まれている。そのため、インナー脚２３が脚フレーム２１の内側を天板１方向に移動した場合は、インナー脚２３がガイドキャップ２７の一部に突き当たる。これにより、脚２の組み立て時にインナー脚２３が脚フレーム２１から抜け落ちることを防止できる。また、ガイドキャップ２７は、脚フレーム２１内に差し込まれるガイド部２７１を有している。そして、インナー脚２３の取り付け時には、ガイド部２７１の内側にインナー脚２３のインナーエンド２３１が挿入される。これにより、脚フレーム２１内部でインナー脚２３が動いたとしても、ガイド部２７１とインナーエンド２３１とが当接してインナー脚２３の動きを規制する。そのため、跳上げ式机の移動時等に、インナー脚２３が脚フレーム２１の内面に接触して異音を発生させることを防止できる。
【００３１】
さらに、インナー脚２３は、キャスター２６が取り付けられた基部２３２と、基部２３２に連結されたインナー脚本体２３３とを備える。インナー脚本体２３３は内部が空洞の筒状であり、インナー脚２３と脚フレーム２１との間にはインナーガイド２３４が取り付けられている。より詳細には、インナーガイド２３４は、インナー脚本体２３３の外側であってフレーム本体２１２の内側に取り付けられている。そして、インナー脚２３は、インナーガイド２３４が取り付けられた状態で脚フレーム２１内に収容される。
【００３２】
インナーガイド２３４について、図５Ｂを用いてより詳細に説明する。このインナーガイド２３４は係合突起２３５を有しており、この係合突起２３５はインナー脚本体２３３の係合穴２３６と係合する。また、インナーガイド２３４の外面には、フレーム本体２１２の内面に当接するように複数の突部２３７が形成されている。これにより、脚フレーム２１内のインナー脚２３に力が加わっても、複数の突部２３７がフレーム本体２１２の内面に当接し、インナー脚２３の移動が規制される。
【００３３】
なお、インナーガイド２３４の内側のサイズは、インナー脚本体２３３の外面に当接するように設定されている。また、インナーガイド２３４は、インナー脚２３の先端から嵌め込み、インナー脚本体２３３の係合穴２３６までスライドさせることができる。そして、インナーガイド２３４の係合突起２３５を係合穴２３６と係合させる位置までスライドさせることで、インナーガイド２３４を取り付けることができる。なお、インナー脚２３は、脚フレーム２１に対して接地面３方向及び天板１方向へ移動可能である。つまり、インナー脚２３は脚フレーム２１内を接地面３方向及び天板１方向へ移動することができる。
【００３４】
また、脚フレーム２１のベースフレーム２１３の後側の高さは、前側の高さよりも低く形成されている。つまり、ベースフレーム２１３の使用者側の高さは、幕板１２側の高さよりも低く形成されている。そして、ベースフレーム２１３の内側に配置されているインナー脚２３の基部２３２も、後側の高さが前側の高さよりも低く形成されている。これにより、跳上げ式机の使用者側のスペースに使用者が出入りする際に、ベースフレーム２１３に足が引っ掛かることを防止できる。そのため、使用者は、容易に出入りすることができる。
【００３５】
図７を参照して、脚フレーム２１をより詳細に説明する。なお、図７は、脚フレーム２１を跳上げ式机の内側、つまり跳上げ式机の中央側から見た状態を示している。また、図７の上側には、脚フレーム２１に差し込まれるガイドキャップ２７が示されている。さらに、図７の右側には、脚フレーム２１の外側に螺止される貫材フレーム２１９が示されている。
【００３６】
ガイドキャップ２７には、第１ねじ穴２７６が形成されている。そして、貫材フレーム２１９には第１ねじ穴２１６、第２ねじ穴２１７、第３ねじ穴２１８が形成されている。さらに、脚フレーム２１のフレーム本体２１２及び脚フレーム２１の内側に螺止されている内側プレート２１５にも、第１ねじ穴２２６、第２ねじ穴２２７、第３ねじ穴２２８が形成されている。また、貫材フレーム２１９には、天板１を支持するための支持軸１９が挿入される穴２１４も形成されている。なお、貫材フレーム２１９の外面、つまり、フレーム本体２１２に面していない面には貫材２２が溶接されている。
【００３７】
ガイドキャップ２７の第１ねじ穴２７６、貫材フレーム２１９の第１ねじ穴２１６、フレーム本体２１２及び内側プレート２１５の第１ねじ穴２２６は、それぞれの位置が同軸上となるように配置されている。また、第２ねじ穴２１７及び２２７、第３ねじ穴２１８及び２２８も、それぞれの位置が同軸上となるように配置されている。そして、第１ねじ穴２７６、２１６及び２２６に、貫材フレーム２１９の外面側からねじが挿入される。これにより、貫材フレーム２１９、内側プレート２１５及びガイドキャップ２７がフレーム本体２１２に対して接続される。同様に、貫材フレーム２１９の第２ねじ穴２１７と、フレーム本体２１２及び内側プレート２１５の第２ねじ穴２２７にもねじが挿入され、貫材フレーム２１９の第３ねじ穴２１８と、フレーム本体２１２及び内側プレート２１５の第２ねじ穴２２８にもねじが挿入される。
【００３８】
フレーム本体２１２には、ベースフレーム２１３が溶接されている。そして、ベースフレーム２１３の後側にはアジャスター２５が螺止されている。使用時には、このアジャスター２５を回転させることにより、跳上げ式机の高さが調節される。また、ベースフレーム２１３の前側には、ベースキャップ２４が螺止されている。
【００３９】
このベースキャップ２４は、内部に段差部２４１を有している。そして、この段差部２４１の位置は、インナー脚２３の基部２３２の段差部２３８（図９）の位置に対応している。これにより、インナー脚２３が抜け落ちる方向に移動しても、インナー脚２３が脚フレーム２１から抜け落ちる前にベースキャップ２４の段差部２４１に当接する。そのため、脚フレーム２１からインナー脚２３が抜け落ちることを防止できる。このような段差部２４１により、インナー脚２３の抜け落ちを防止するための部材を別途設ける必要がなく、部品点数を削減することができる。
【００４０】
続いて、図８を参照して、ガイドキャップ２７をより詳細に説明する。図８Ａは跳上げ式机の内側方向から見たガイドキャップ２７を示し、図８Ｂは図８ＡのＤ−Ｄ断面を示している。また、図８Ｃは、跳上げ式机の前側からみたガイドキャップ２７を示している。なお、本実施例のガイドキャップ２７にはフック２８が形成されているが、フック２８の図示は省略している。さらに、図８Ｂにおいては、ガイドキャップ２７の他にインナー脚２３、内側プレート２１５、ねじ２７７及び脚フレーム２１を二点鎖線で示している。
【００４１】
ガイドキャップ２７には、インナー脚２３が嵌合する第１凹部２７９が形成されている。また、第１凹部２７９の外側には、脚フレーム２１の内面に取り付けられる内側プレート２１５が嵌合する第２凹部２７８が形成されている。さらに、ガイドキャップ２７にはねじ穴２７６が形成されている。当該ねじ穴２７６に挿入されるねじ２７７は、脚フレーム２１及び内側プレート２１５の第１ねじ穴２２６を貫通する。これにより、ガイドキャップ２７は脚フレーム２１に対して螺止される。ガイドキャップ２７の下端、つまり脚フレーム２１側にはガイド部２７１が形成されており、ガイド部２７１の端部には斜面２８０が形成されている。この斜面２８０により、ガイド部２７１の端部が細くなる。そのため、インナー脚２３が収容された状態の脚フレーム２１へも、容易にガイドキャップ２７を挿入することができる。
【００４２】
また、図８Ｃに示すように、ガイドキャプの先端部分には、天板１アームのカム部１７２の配置スペースを確保するために第３凹部２８１が形成されている。跳上げ式机を組み立てた状態では、カム部１７２の対向部１７６及び当接部１７５は、第３凹部２８１の内側に位置する。そのため、使用時及び収納時のいずれにおいても、対向部１７６及び当接部１７５が、ガイドキャップ２７の頭部２８２によって遮蔽された状態になる。
【００４３】
続いて、図９を用いてインナー脚２３をより詳細に説明する。インナー脚２３のインナー脚本体２３３及び基部２３２は鋼板から形成されており、インナー脚本体２３３は基部２３２に溶接されている。そして、基部２３２の一部にはインナー脚本体２３３に向かって突出する溶接しろが形成されている。また、基部２３２の前側には、段差部２３８が形成されている。なお、脚フレーム２１のベースフレーム２１３に取り付けられたベースキャプ２４には、この段差部２３８の位置と対応する位置に段差部２４１が形成されている。これにより、インナー脚２３が脚フレーム２１から抜け落ちることを防止できる。なお、基部２３２とインナー脚本体２３３とは、一つの鋼板から一体的に形成することもできる。
【００４４】
基部２３２にはキャスター２６が螺止されており、キャスター２６はねじを中心に首ふり動作が可能である。そのため、跳上げ式机を移動する際には、キャスター２６の向きを進行方向へと変えることができる。なお、キャスター２６を螺止するためのねじ穴は２つには限られない。３つ以上のねじ穴を形成することにより、キャスター２６の位置を可変とすることもできる。
【００４５】
インナー脚２３のインナー脚本体２３３の先端、つまり、天板１側の端部には、樹脂製のインナーエンド２３１が嵌め込まれている。このインナーエンド２３１には、カム部１７２の対向部１７６に対して傾いた支持面２３９が形成されている。そして、支持面２３９は、天板１が収納位置にある時に、天板アーム１７のカム部１７２の当接部１７５と当接する。これにより、天板１が、インナーエンド２３１、インナー脚本体２３３、基部２３２及びキャスター２６を介して支持されることになる。
【００４６】
このようなインナー脚２３を備える脚２を組み立てる場合、まず、インナー脚２３の基部２３２にキャスター２６が螺止される。次いで、インナーガイド２３４がインナー脚本体２３３に嵌め込まれる。この時、インナーガイド２３４は、係合突起２３５（図５）がインナー脚本体２３３の係合穴２３６と係合するまでスライドされる。その後、インナーエンド２３１が、インナー脚本体２３３の先端に嵌め込まれる。
【００４７】
続いて、組み立てられたインナー脚２３は、脚フレーム２１に内に挿入される。そして、貫材フレーム２１９及び内側プレート２１５が脚フレーム２１に螺止される。最後に、ガイドキャップ２７が脚フレーム２１の先端に嵌め込まれ、脚フレーム２１に螺止される。なお、組み立てられた脚２の貫材フレーム２１９は、天板１の天板アーム１７と支持軸１９により接続される。
【００４８】
次に、図１０を用いて跳上げ式机の動作について説明する。図１０Ａは使用時の状態を示し、図１０Ｂは跳上げ途中の状態を示し、図１０Ｃは収納時の状態を示している。また、図１０ではロック機構の動作と、カム部１７２の動作も示している。なお、説明のため、ガイドキャップ２７等の部材の図示が省略されている。
【００４９】
まず、ロック機構の動作について説明する。使用時の跳上げ式机においては、ロックプレート１４１の係止突起４０が貫材フレーム２１９の第１係止溝４１に当接している。また、天板アーム１７のストッパー１７４が貫材フレーム２１９の第２係止溝４２に当接している。これにより、天板１は使用位置において脚２に対してロックされ且つ固定されている。なお、天板１が使用位置にある時、ロックレバー１４はロックスプリング１４４（図４）により脚２方向へと付勢されている。
【００５０】
天板１を収納する際には、使用者はロックスプリング１４４の付勢力に抗してレバー軸１５を中心にロックレバー１４を天板１方向に揺動させる。これにより、係止突起４０と第１係止溝４１との係止が解除される。そして、ロックが解除された後に、使用者は支持軸１９を中心に矢印５１で示す方向に天板１を跳ね上げる。これにより、ロックレバー１４及びロックプレート１４１は図１０Ｂに示す跳上げ途中の位置に移動する。また、ストッパー１７４も、同時に図１０Ｂに示す跳上げ途中の位置へ移動する。その結果、ストッパー１７４は、第２係止溝４２から離間する方向に移動する。
【００５１】
天板１を図１０Ｃに示す収納位置まで回動させた後に、使用者はロックレバー１４の操作をやめる。すると、ロックレバー１４はロックスプリング１４４により再び脚２方向に付勢される。これにより、ロックレバー１４はレバー軸１５を中心に矢印５２で示す脚方向に揺動する。その結果、ロックプレート１４１の係止突起４０が第２係止溝４２に当接し、天板１が収納位置において脚２に対してロックされ且つ固定される。
【００５２】
続いて、カム部１７２の動作と、それに伴う跳上げ式机の動作について説明する。図１０Ａに示すように、使用時の跳上げ式机においては、天板アーム１７のカム部１７２の対向部１７６とインナーエンド２３１の支持面２３９との間には矢印ａで示すすきまが存在する。そして、天板１は、天板アーム１７の支持部１７１、支持軸１９、貫材フレーム２１９、フレーム本体２１２、ベースフレーム２１３、ベースキャップ２４及びアジャスター２５を介して支持されている。
【００５３】
そのため、使用時においては、ベースフレーム２１３のベースキャップ２４及びアジャスター２５が、矢印ｂで示すように接地面３と当接している。つまり、使用時においては、天板１が脚フレーム２１によって支持されている。なお、使用時においては、インナー脚２３が自重によって脚フレーム２１内を接地面３方向へ移動している。そのため、インナー脚２３のキャスター２６も、接地面３と当接している。
【００５４】
その後、使用者が天板１のロックを解除し天板１を跳ね上げると、図１０Ｂに示すように天板１の回動に従いカム部１７２も揺動する。つまり、支持軸１９を中心に揺動可能であるカム部１７２は、天板アーム１７の一部として天板本体１１に接続されている。そのため、カム部１７２が天板本体１１の回動に従って揺動する。その結果、矢印ｃで示すように、カム部１７２の当接部１７５がインナーエンド２３１の支持面２３９と当接する。
【００５５】
なお、図１０Ａにおいて、天板１の支持軸１９からカム部１７２の当接部１７５までの距離を矢印ｇで示している。また、天板１の支持軸１９からカム部１７２の対向部１７６までの距離を矢印ｈで示している。そして、矢印ｇで示す距離は、矢印ｈで示す距離より短い。つまり、支持軸１９から当接部１７５までの距離は、支持軸１９から対向部１７６までの距離よりも長い。
【００５６】
そのため、天板１を回動させるにつれて、当接部１７５は支持面２３９上を上るように支持面２３９の上方へと移動する。換言すると、当接部１７５は、支持面２３９上に乗り上げ接地面３から離れる方向に向かって移動する。これにより、当接部１７５は、インナーエンド２３１のより先端と当接するようになる。その結果、天板１を回動させるにつれて、支持軸１９から接地面３までの距離が長くなる。つまり、支持軸１９が接地面３から離れる方向に移動する。
【００５７】
この支持軸１９は、天板アーム１７の支持部１７１を介して天板本体１１に接続されると共に、貫材フレーム２１９を介して脚フレーム２１のフレーム本体２１２に接続されている。そのため、支持軸１９が接地面３から離れる方向に移動すると、天板本体１１及び脚フレーム２１も接地面３から離れる方向に移動する。そして、脚フレーム２１が接地面３から離れると、天板１はカム部１７２を介してインナー脚２３に支持されることになる。
【００５８】
図１０Ｂは、天板１をある程度跳ね上げ、天板１がインナー脚２３に支持された状態を示している。この状態においては、矢印ｄで示すように、アジャスター２５及びベースキャップ２４が接地面３から浮いている。そのため、天板１は、接地面３に当接するキャスター２６を介して、インナー脚２３によって支持されている。
【００５９】
さらに天板１を回動させ、天板１を図１０Ｃに示す収納位置へと移動させると、当接部１７５と支持面２３９とが当接する位置は矢印ｅで示すように支持面２３９のより上方へと移動する。そのため、支持軸１９が接地面３からより離れる方向に移動し、天板本体１１及び脚フレーム２１も接地面３からより離れる方向に移動する。その結果、天板１を収納位置まで回動させると、矢印ｆで示すように接地面３とアジャスター２５及びベースキャップ２４とのクリアランスは最大となる。
【００６０】
以上、本発明の実施例について説明したが、本発明は実施例の構成に限定されるものではない。本発明の内容を実質的に変更しない範囲で、上記実施例の構成を適宜変更することができる。例えば、上記実施例の貫材フレーム２１９は、脚フレーム２１の内側側面、すなわち天板１側の側面に螺止されている。しかし、脚フレーム２１と一体に形成された貫材フレーム２１９を用いることもできる。この場合、脚フレーム２１の一部を延在させ、当該延在部分によって貫材フレーム２１９を形成する。
【００６１】
また、上記実施例の天板アーム１７は、支持部１７１とカム部１７２とが一体に形成されている。しかし、支持部１７１とカム部１７２とは、それぞれ別体で形成してもよい。この場合、支持部１７１とカム部１７２とは、それぞれ天板本体１１に螺止されることになる。
【００６２】
さらに、上記実施例のインナー脚２３は、ガイドキャップ２７によって抜け落ちが防止されている。しかし、インナー脚２３に長穴を形成し、貫材フレーム２１９のねじ穴に挿入されたねじをこの長穴に挿入することにより抜け落ちを防止してもよい。この場合、脚フレーム２１内のインナー脚２３に力が加わったとしても、長穴の縁にねじが当接するため、インナー脚２３の移動を制限することができる。
【００６３】
また、本発明におけるインナーエンド２３１の支持面２３９は、キャスター２６からの高さが高くなるような形状であれば良い。そのため、支持面２３９の形状は傾斜した平面には限られず、曲面の形状又は僅かな段差を有する階段状の形状であってもよい。さらに、インナーエンド２３１を設けず、インナー脚２３の先端に支持面２３９を直接形成することもできる。
【００６４】
また、上述の各変形例は、本発明の内容を実質的に変更しない範囲で、適宜組み合わせることができる。
【符号の説明】
【００６５】
１：天板、２：脚、３：接地面、１１：天板本体、１９：支持軸、２１：第１脚、２３：第２脚、１７２：カム、１７５：当接部、１７６：対向部、支持面：２３９
【図１】
0005615040.tif 000002
【図２】
0005615040.tif 000003
【図３】
0005615040.tif 000004
【図４】
0005615040.tif 000005
【図５】
0005615040.tif 000006
【図６】
0005615040.tif 000007
【図７】
0005615040.tif 000008
【図８】
0005615040.tif 000009
【図９】
0005615040.tif 000010
【図１０】
0005615040.tif 000011